(57)【要約】【課題】  本体枠と扉枠との軸支側の隙間を無理やりこじ開けられても、不正具を侵入させることができないパチンコ遊技機を提供する。【解決手段】  扉枠５と本体枠３との間の隙間寸法をバール等の工具を使用して不正に大きくすることにより本体枠３に固定される防犯金具１７０と扉枠５に固定される断面Ｌ字状折曲突片８７との間の間隙が大きくなった状態でも、防犯シート１７４が弾性復元して防犯金具１７０と断面Ｌ字状折曲突片８７との間の間隙を閉塞するので、不正具２２１の侵入を確実に防止することができる。一方、通常時の扉枠５の開閉動作においては、防犯金具１７０と断面Ｌ字状折曲突片８７との間に防犯シート１７４が弾性変形して折り畳まれた状態で挟持されるので、扉枠５の開閉動作に支障を来たすことがない。【選択図】        図１９
2008220578.tif 000002
【特許請求の範囲】
【請求項１】
島に設置される外枠と、該外枠に開閉自在に軸支され且つ遊技盤を収納するための遊技盤設置凹部を形成する側面壁を有する本体枠と、該本体枠に開閉自在に軸支され且つ前記遊技盤の遊技領域を遊技者が透明板を介して視認し得る遊技窓が形成される扉枠と、を備えたパチンコ遊技機において、
前記本体枠の軸支側の前記遊技盤設置凹部の前端内壁に上下に延びる防犯凸部を形成する一方、前記扉枠の軸支側裏面に当該扉枠を閉じたときに前記防犯凸部の裏側面及び内側面と対向した状態となるように取り付けられる折曲突片を固定し、
さらに前記本体枠の軸支側内壁に、その前部が前記防犯凸部の内側面まで延設されてその後部が固定される可撓性のある防犯シートを固定し、
前記扉枠を前記本体枠に対して閉じた状態で、前記防犯凸部と前記折曲突片との間に前記防犯シートが弾性変形して折り畳まれた状態で挟持される一方、前記扉枠と前記本体枠との間の隙間寸法を不正に大きくすることにより前記防犯凸部と前記折曲突片との間の間隙が大きくなった状態でも、前記防犯シートが弾性復元して前記防犯凸部と前記折曲突片との間の間隙を閉塞して不正具の侵入を防止することを特徴とするパチンコ遊技機。
【請求項２】
前記防犯シートは、黒色又は灰色の熱可塑性エラストマーにより形成されていることを特徴とする請求項１記載のパチンコ遊技機。
【請求項３】
前記防犯シートは、その後部を前記本体枠の軸支側内壁と当て板とで挟持することにより固定され、
前記防犯シートには、上下端部に取付穴を形成すると共にこの取付穴の間に適宜間隔を置いて差込み穴を形成し、
前記当て板には、前記取付穴に対応する取着穴と、前記差込み穴に対応する係止爪部と、が形成され、
前記当て板の係止爪部に前記防犯シートの差込み穴を差し込んで当該当て板に防犯シートを装着した状態で、上下端部の前記取付穴及び前記取着穴と前記本体枠の軸支側内壁に形成される取着孔とを一致させ、その一致した取付穴、取着穴及び取着孔にカシメピンを挿通してカシメ固着したことを特徴とする請求項１又は請求項２記載のパチンコ遊技機。
【請求項４】
前記補強板金は、前記扉枠側で発生する静電気の除電部と導通するように接続される一方、前記防犯凸部を金属体で構成すると共に前記本体枠側に設けられるアース接続部と導通するように接続され、
前記防犯凸部には、前記扉枠を閉じたときに前記折曲突片と接触する金属製の接点突片を設けたことを特徴とする請求項１乃至請求項３のいずれかに記載のパチンコ遊技機。
【発明の詳細な説明】
【技術分野】
【０００１】
本発明は、島に設置される外枠と、該外枠に開閉自在に軸支され且つ遊技盤を収納するための遊技盤設置凹部を形成する側面壁を有する本体枠と、該本体枠に開閉自在に軸支され且つ前記遊技盤の遊技領域を遊技者が透明板を介して視認し得る遊技窓が形成される扉枠と、を備えたパチンコ遊技機に関する。
【背景技術】
【０００２】
従来、外枠と該外枠に開閉自在に設けられる本体枠（一般的に「前枠」とも称される。）との軸支側からの不正具の侵入を防止する技術を開示するものとして特開平９−１３５９５４号公報（特許文献１）に記載される技術がある。また、本体枠と該本体枠に開閉自在に設けられる扉枠との軸支側からの不正具の侵入を防止する技術を開示するものとして特開２００５−２７０６４３号公報（特許文献２）に記載される技術がある。特許文献１に開示される技術は、本体枠（前枠）のヒンジ側の裏面に上下方向に延びる金属製のロック部材を設け、該ロック部材の後端に形成される係合片が本体枠を閉じたときに外枠の端面に被さって係合させることにより、本体枠のヒンジ側の側縁を表側から引っ張ってもロック部材の抵抗で撓むことがなく、外枠との間に隙間を生じさせないため、本体枠と外枠との間からの異物の挿入を防止するものである。一方、特許文献２に開示される技術は、本体枠のヒンジ側の内壁の中程のやや下方位置に扉用拘束部を突設し、ガラス扉のヒンジ側の裏面に断面Ｌ字状の係合片を有する扉拘束体を固定し、ガラス扉を閉じたときに、ガラス扉の扉拘束体の係合片が扉用拘束部の後側に接近して係合することにより、本体枠とガラス扉枠との間に隙間が生じないようにして本体枠とガラス扉との間からの異物の挿入を防止するものである。
【特許文献１】特開平９−１３５９５４号公報（図１、段落〔００１２〕、段落〔００１４〕）
【特許文献２】特開２００５−２７０６４３号公報（図１１、図１２、図１５、段落〔００５４〕〜〔００５５〕）
【発明の開示】
【発明が解決しようとする課題】
【０００３】
上記の特許文献１に記載される技術は、外枠と本体枠との間のヒンジ側の上下全長に亘って隙間が形成されないような構造を提案するものであるのに対し、特許文献２に記載される技術は、本体枠と扉枠との間の隙間が形成されない構造を提案するものであるものの、本体側に形成される扉拘束部の上下方向の長さ寸法が小さく形成されているため、係合構造が脆弱であるという欠点がある。そこで、特許文献１に開示されるほぼ全長に亘って係合するという技術を特許文献２に開示される技術に適用することにより、本体枠とガラス扉（扉枠）とのヒンジ側のほぼ全長に亘って扉拘束部と扉拘束体との係合を実現するという構成に想到し得る。
【０００４】
この場合、通常の力で扉枠を前方に移動させて本体枠と扉枠との間に隙間を形成しようとしても困難であるが、例えば、バールのような工具を用いて本体枠と扉枠との間を無理やりこじ開けると、断面Ｌ字状に形成された扉拘束体の係合片が変形したり、あるいは扉枠を本体枠に軸支するヒンジピンが変形したりして本体枠と扉枠との間に不正具が侵入し得る隙間を形成することができる場合もある。本発明は、上記した問題点に鑑みなされたもので、その目的とするところは、本体枠と扉枠との軸支側の隙間を無理やりこじ開けられても、不正具を侵入させることができないパチンコ遊技機を提供することにある。
【課題を解決するための手段】
【０００５】
上記目的を達成するために、請求項１が採用した手段は、島に設置される外枠と、該外枠に開閉自在に軸支され且つ遊技盤を収納するための遊技盤設置凹部を形成する側面壁を有する本体枠と、該本体枠に開閉自在に軸支され且つ前記遊技盤の遊技領域を遊技者が透明板を介して視認し得る遊技窓が形成される扉枠と、を備えたパチンコ遊技機において、前記本体枠の軸支側の前記遊技盤設置凹部の前端内壁に上下に延びる防犯凸部を形成する一方、前記扉枠の軸支側裏面に当該扉枠を閉じたときに前記防犯凸部の裏側面及び内側面と対向した状態となるように取り付けられる折曲突片を固定し、さらに前記本体枠の軸支側内壁に、その前部が前記防犯凸部の内側面まで延設されてその後部が固定される可撓性のある防犯シートを固定し、前記扉枠を前記本体枠に対して閉じた状態で、前記防犯凸部と前記折曲突片との間に前記防犯シートが弾性変形して折り畳まれた状態で挟持される一方、前記扉枠と前記本体枠との間の隙間寸法を不正に大きくすることにより前記防犯凸部と前記折曲突片との間の間隙が大きくなった状態でも、前記防犯シートが弾性復元して前記防犯凸部と前記折曲突片との間の間隙を閉塞して不正具の侵入を防止することを特徴とする。
【０００６】
また、請求項２が採用した手段は、請求項１記載のパチンコ遊技機において、前記防犯シートは、黒色又は灰色の熱可塑性エラストマーにより形成されていることを特徴とする。
【０００７】
また、請求項３が採用した手段は、請求項１又は請求項２記載のパチンコ遊技機において、前記防犯シートは、その後部を前記本体枠の軸支側内壁と当て板とで挟持することにより固定され、前記防犯シートには、上下端部に取付穴を形成すると共にこの取付穴の間に適宜間隔を置いて差込み穴を形成し、前記当て板には、前記取付穴に対応する取着穴と、前記差込み穴に対応する係止爪部と、が形成され、前記当て板の係止爪部に前記防犯シートの差込み穴を差し込んで当該当て板に防犯シートを装着した状態で、上下端部の前記取付穴及び前記取着穴と前記本体枠の軸支側内壁に形成される取着孔とを一致させ、その一致した取付穴、取着穴及び取着孔にカシメピンを挿通してカシメ固着したことを特徴とする。
【０００８】
更に、請求項４が採用した手段は、請求項１乃至請求項３のいずれかに記載のパチンコ遊技機において、前記補強板金は、前記扉枠側で発生する静電気の除電部と導通するように接続される一方、前記防犯凸部を金属体で構成すると共に前記本体枠側に設けられるアース接続部と導通するように接続され、前記防犯凸部には、前記扉枠を閉じたときに前記折曲突片と接触する金属製の接点突片を設けたことを特徴とする。
【発明の効果】
【０００９】
請求項１に係る発明においては、扉枠と本体枠との間の隙間寸法をバール等の工具を使用して不正に大きくすることにより本体枠に固定される防犯凸部と扉枠に固定される折曲突片との間の間隙が大きくなった状態でも、防犯シートが弾性復元して防犯凸部と折曲突片との間の間隙を閉塞するので、不正具の侵入を確実に防止することができる。一方、通常時の扉枠の開閉動作においては、防犯凸部と折曲突片との間に防犯シートが弾性変形して折り畳まれた状態で挟持されるので、扉枠の開閉動作に支障を来たすことがない。
【００１０】
請求項２に係る発明においては、防犯シートが黒色又は灰色の熱可塑性エラストマーにより形成されているので、扉枠と本体枠との間に隙間が生じても、その間を閉塞する防犯シートが黒色又は灰色であれば、隙間の大小が判別し難く不正具の侵入個所を狙うことが困難となる。そして、防犯シートを熱可塑性エラストマーとすることにより、長期間の繰り返し屈曲運動にも優れた耐久性を有すると共に、引き裂きにも極めて強くピアノ線等の不正具により差込みに対して優れた耐久性を有する。
【００１１】
また、請求項３に係る発明においては、防犯シートを本体枠の軸支側内壁と当て板とで挟持固定する際に、当て板の係止爪部に防犯シートの差込み穴を差し込んで当該当て板に防犯シートを装着した状態で、上下端部の取付穴、取着穴及び取着孔にカシメピンを挿通してカシメ固着したので、すべての取着部等をビス等で止着する場合に比べて、ビスの頭部等が本体枠の内壁側に突出することを防止し、これによって本体枠の遊技盤設置凹部への遊技盤の脱着操作の邪魔とならないようにすることができる。即ち、カシメピンによる固定個所を最小限に抑え且つ不正時に防犯シートが簡単に弛まないように係止爪部と差込み穴とで固定したので、本体枠の内壁側への突出量を抑制することができると共に長尺状の防犯シートの取付けを確実に行ことができる。
【００１２】
更に、請求項４に係る発明においては、前記補強板金は、扉枠側で発生する静電気が扉枠の裏面に固定される補強板金、接点突片、本体側に固定される防犯凸部を介してアース接続部に流されるので、扉枠側とアース接続部とを特別なアース線で接続する必要がないため、極めて簡単な構造によって扉枠側のアース経路を確保することができる。
【発明を実施するための最良の形態】
【００１３】
〔パチンコ遊技機の全体構造〕
以下、図面を参照して本発明の好適な実施形態について、図面を参照して説明する。まず、図１乃至図７を参照して実施形態に係るパチンコ遊技機の全体について説明する。図１は、実施形態に係るパチンコ遊技機１の外枠２に対して本体枠３を開放し、本体枠３に対して扉枠５を開放した状態を示す斜視図であり、図２は、パチンコ遊技機の正面から見た斜視図であり、図３は、パチンコ遊技機１の正面図であり、図４は、パチンコ遊技機１の側面図であり、図５は、パチンコ遊技機１の平面図であり、図６は、パチンコ遊技機１の背面図であり、図７は、パチンコ遊技機１の本体枠３に対してカバー体１９９を開放した状態を示す背面斜視図である。
【００１４】
図１乃至図７において、本実施形態に係るパチンコ遊技機１は、島（図示しない）に設置される外枠２と、該外枠２に開閉自在に軸支され且つ遊技盤４を装着し得る本体枠３と、該本体枠３に開閉自在に軸支され且つ前記遊技盤４に形成されて球が打ち込まれる遊技領域２０８を遊技者が視認し得る遊技窓５１と該遊技窓５１の下方に配置され且つ遊技の結果によって払出される球を貯留する貯留皿としての皿ユニット５８とを備えた扉枠５と、を備えて構成されている。
【００１５】
外枠２には、その下方前方に表面が装飾カバー板１５によって被覆されている下部前面板１４が固着されている。また、本体枠３には、上記したように遊技盤４が着脱自在に装着し得る他に、その裏面下部に打球発射装置２００と、遊技盤４を除く扉枠５や本体枠３に設けられる電気的部品を制御するための各種の制御基板や電源基板等が一纏めに設けられている基板ユニット１９５が取り付けられ、本体枠３の後面開口１８５（図７参照）を覆うカバー体１９９が着脱自在に設けられている。更に、扉枠５には、上記した皿ユニット５８の他に、遊技窓５１を閉塞するようにガラスユニット６６と、操作ハンドル６５とが設けられている。そして、本実施形態の特徴は、扉枠５に設けられる皿ユニット５８が１つであり、しかも、従来は本体枠３に設けられていた操作ハンドル６５が扉枠５（正確には、皿ユニット５８）に設けられ、また、扉枠５と本体枠３とが正面から見てほぼ同じ方形の大きさであるため、正面から本体枠３が視認できなくした点である。以下、パチンコ遊技機１を構成する部材について詳細に説明する。
【００１６】
〔外枠〕
外枠２について、主として図８乃至図１１を参照して説明する。図８は、外枠２の正面斜視図であり、図９は、本体枠３の上軸支金具１５１と外枠２の上支持金具２０との脱着構造を説明するための斜視図であり、図１０は、外枠２の上支持金具２０の裏面に設けられるロック部材３２の取付状態を示す分解斜視図（Ａ）と下方から見た斜視図（Ｂ）であり、図１１は、軸支ピン１５２とロック部材３２との関係を説明するための上支持金具２０部分の裏面図である。
【００１７】
図８において、本実施形態に係る外枠２は、上下の上枠板１０及び下枠板１１と左右の側枠板１２，１３とを、それぞれの端部を連結するための連結部材１６で連結することによって方形状に組み付けられるものである。そして、外枠２を構成する上枠板１０と下枠板１１、及び側枠板１２，１３のうち、上枠板１０と下枠板１１とは従来と同じ木製であり、側枠板１２，１３は、軽量金属、例えば、アルミニュウム合金の押出し成型板により構成されている。上枠板１０及び下枠板１１を従来と同じ木製で構成した理由は、パチンコ遊技機１を遊技場に列設される島に設置する場合に、島の垂直面に対し所定の角度をつけて固定する作業を行う必要があるが、そのような作業は上枠板１０及び下枠板１１と島とに釘を打ち付けて行われるため、釘を打ち易くするためである。一方、側枠板１２，１３をアルミニュウム合金の押出し成型板により構成した理由は、従来の木製に比べ強度を維持しつつ肉厚を薄く形成することができるため、側枠板１２，１３の内側に隣接する本体枠３の収納壁１５８（図１３参照）の正面から見たときの左右幅を広くすることができる。このため左右方向の寸法の大きな遊技盤４を本体枠３に装着することができることになり、結果的に遊技盤４の遊技領域２０８を大きく形成することができるからである。ただし、側枠板１２，１３をアルミニュウム合金の平板で構成すると、充分な剛性が確保できないため、側枠板１２（側枠板１３も全く同じ構造である。）の後方部分内側にリブによって後方が開放した空間部を形成して後方部分の肉厚が厚くなるように引き抜き成型されている。
【００１８】
そして、上記のように形成される開放側の側枠部１３には、連結部材１６を取り付けるための構成以外に、その上部内側に閉鎖用突起１７が取り付けられ、その下部内側に閉鎖用突起１８が取り付けられている。この閉鎖用突起１７，１８は、外枠２に対して本体枠３を閉じる際に、本体枠３の開放側辺に沿って取り付けられる錠装置２０１の本体枠用フック部２０３（図１３参照）と係合するものであり、後に詳述するように錠装置２０１のシリンダー錠２０４に鍵を差し込んで一方に回動することにより、本体枠用フック部２０３と閉鎖用突起１７，１８との係合が外れて本体枠３を外枠２に対して開放することができるものである。
【００１９】
また、下枠板１１と左右の側枠板１２，１３の下部前面に固定される下部前面板１４は、閉止時においてその上面に本体枠３が載置されるものであり、下部前面板１４の表面及び側面は、装飾カバー板１５によって被覆されているが、装飾カバー板１５の裏面に、その後端に弾性爪が形成される止着突起が突設され、その止着突起が下部前面板１４に貫通される止着穴に貫通させられることにより下部前面板１４に取り付けられている。なお、外枠２の装飾カバー板１５の開放側の上面には、本体枠３の閉止時に該本体枠３をスムーズに案内するための案内板１９が交換可能に装着されている。
【００２０】
ところで、本体枠３を開閉自在に軸支する構造として、上枠板１０と側枠板１２とを連結する機能も兼用する上支持金具２０と下部前面板１４の一側上面に沿って取り付けられる下支持金具４０とが設けられている。上支持金具２０には、前方に突出している支持突出片２１に該支持突出片２１の側方から先端中央部に向かって屈曲して形成された支持鉤穴２２が形成されており、この支持鉤穴２２に本体枠３の後述する上軸支金具１５１の軸支ピン１５２（図９参照）が着脱自在に係合されるようになっている。この支持鉤穴２２と軸支ピン１５２との係合関係については、後に詳述する。また、図８に示すように、下支持金具４０も前方に突出した前方突出部４１を有して形成されているが、この前方突出部４１に上向きに支持突起４２が突設され、この支持突起４２に本体枠３の後述する枠支持板１５５（図１３参照）に形成される支持穴が挿入される。したがって、外枠２に本体枠３を支持するためには、下支持金具４０の支持突起４２に本体枠３の枠支持板１５５に形成される支持穴を係合させた後、本体枠３の上軸支金具１５１の軸支ピン１５２を支持鉤穴２２に掛け止めることにより簡単に開閉自在に軸支することができる。
【００２１】
また、上支持金具２０は、図１０に示すように、上枠板１０の軸支側の上面及び前面に凹状に形成される取付段部２４に装着されるものであるが、その装着に際し、上支持金具２０に形成される複数（図示の場合２個）の取付穴２３と取付段部２４に穿設される複数（図示の場合２個）の取付穴２５とを一致させて取付ビス２６を上方から差し込み、上枠板１０の裏面から押し当てられる挟持板（図示しない）に止着することにより上支持金具２０が上枠板１０に堅固に固定される。また、上支持金具２０の外側側方には、側枠板１２の外側に当接する垂下片部２７があり、その垂下片部２７にも取付穴２８が穿設され、この取付穴２８と側枠板１２に穿設される取付穴とを止着ビスで止着することにより、上支持金具２０と側枠板１２とを固定すると共に、上枠板１０と側枠板１２とを上支持金具２０を介して連結している。
【００２２】
上記のように構成される外枠２において、その構成部材である上枠板１０と下枠板１１と側枠板１２，１３とを連結部材１６で連結することにより、連結部材１６が側枠板１２，１３の内面に密着して止着されると共に連結部材１６と上枠板１０及び下枠板１１が係合した状態で止着されるので、その組み付け強度が高く頑丈な方形状の枠組みとすることができる。また、連結部材１６によって上枠板１０、下枠板１１、側枠板１２，１３を連結した後、上支持金具２０を所定の位置に取り付けたときに、図８に示すように、各枠板１０，１１，１２，１３の外側面（外周面）から外側に突出する部材は存在しないので、パチンコ遊技機１を図示しないパチンコ島台に設置する際に、隣接する装置（例えば、隣接する玉貸器）と密着して取り付けることができる。また、下支持金具４０を取り付けたときにも、下部前面板１４の上面と下支持金具４０の上面とがほぼ同一平面となるようになっている。
【００２３】
ところで、本体枠３を開閉自在に軸支するための上支持金具２０の支持突出片２１の裏面には、図１０に示すようにロック部材３２が回動自在に軸支されている。より詳細に説明すると、図１０（Ａ）に示すように、上支持金具２０の支持突出片２１は、先端部が円弧状の平板として形成されると共に支持突出片２１の外側縁に沿って直角に折り曲げられた垂下壁２９が形成される。この垂下壁２９により、上支持金具２０の支持突出片２１の強度を向上させることができると共に、正面から見たときに次に説明するロック部材３２が視認できないようにして外観を良くし、更に、次に説明するロック部材３２の弾性片３５の先端当接部が当接する部位として利用したり、ロック部材３２が支持突出片２１から外側に飛び出さないように停止部として利用している。また、支持突出片２１に形成される支持鉤穴２２は、垂下壁２９が形成されない反対側の側方から内側にやや向ってさらに先端中央部に向かって傾斜状となるように屈曲して形成されている。そして、支持鉤穴２２の傾斜状穴部の溝寸法は、軸支ピン１５２の直径よりもやや大きな寸法に形成されている。また、上記した垂下壁２９は、支持鉤穴２２の前方の入口端部から支持突出片２１及び上支持金具２０の外側縁に沿って直角に折り曲げられて形成されていると共に、支持鉤穴２２の前方の入口端部の部分で内側に向って折り曲げられて停止垂下部３０となっている。また、支持突出片２１のほぼ中央に取付穴３６が穿設され、該取付穴３６にロック部材３２がリベット３７によって回転自在に軸支されている。ロック部材３２は、合成樹脂によって成型されるものであり、ストッパー部３３と操作部３４とがＬ字状に形成され、また操作部３４と反対側に円弧状の弾性片３５が一体的に延設されている。そして、ストッパー部３３と操作部３４とがなすＬ字状の基部に前記リベット３７が挿通される取付穴３６が形成されている。しかして、ロック部材３２がリベット３７によって取付穴３６に取り付けられて支持突出片２１の裏面に回転自在に固定した状態においては、図１０（Ｂ）に示すように、弾性片３５の先端当接部が垂下壁２９の内側面と当接しており、ストッパー部３３が支持鉤穴２２の傾斜状穴部を閉塞するようになっている。また、このときストッパー部３３の先端部分は、支持鉤穴２２の傾斜状穴部の先頭空間部分を閉塞した状態となっていない。即ち、通常の状態で支持鉤穴２２の先頭空間部分には、本体枠３の上軸支金具１５１の軸支ピン１５２が挿入される空間が形成されている。
【００２４】
ところで、軸支ピン１５２が支持鉤穴２２の傾斜状穴部の先端空間部分に挿入されてストッパー部３３の先端側方が入口端部の停止垂下部３０に対向している状態（この状態ではストッパー部３３の先端側方と停止垂下部３０との間に僅かな隙間があり当接した状態となっていない）である通常の軸支状態においては、屈曲して形成される支持鉤穴２２の傾斜状穴部の先端空間部分に位置する軸支ピン１５２とストッパー部３３の先端面３８とのそれぞれの中心が斜め方向にずれて対向した状態となっている。そして、この通常の軸支状態においては、重量のある本体枠３を軸支している軸支ピン１５２が支持鉤穴２２の先端部分に当接した状態となっているので、軸支ピン１５２からストッパー部３３の先端面３８への負荷がほとんどかかっていないため、ロック部材３２の弾性片３５に対し負荷がかかっていない状態となっている。また、図１１（Ａ）に示すように、ストッパー部３３の先端面３８が操作部３４を操作して回動したときにロック部材３２がスムーズに回動するように円弧状に形成されている。図示の場合、この円弧状先端面３８の円弧中心は、リベット３７の中心（ロック部材３２の回転中心）である。このため、軸支ピン１５２が支持鉤穴２２の傾斜状穴部の傾斜に沿って抜ける方向に作用力Ｆがかかって円弧状の先端面３８に当接したとき、その作用力Ｆを、軸支ピン１５２と円弧状の先端面３８との当接部分に作用する分力Ｆ１（円弧状先端面３８の円弧の法線方向）と、軸支ピン１５２と支持鉤穴２２の傾斜状穴部の一側内面との当接部分に作用する分力Ｆ２と、に分けたときに、分力Ｆ１の方向がリベット３７の中心（ロック部材３２の回転中心）を向くため、ロック部材３２のストッパー部３３の先端部が支持突出片２１から外れる方向（図示の時計方向）に回転させるモーメントが働かず、軸支ピン１５２がロック部材３２のストッパー部３３の先端部と支持鉤穴２２の傾斜状穴部の一側内面との間に挟持された状態を保持する。このため、通常の軸支状態でもあるいは軸支ピン１５２の作用力がロック部材３２にかかった状態でも、ロック部材３２の弾性片３５に常時負荷がかからず、合成樹脂で一体形成される弾性片３５のクリープによる塑性変形を防止し、長期間に亘って軸支ピン１５２の支持鉤穴２２からの脱落を防止することができる。なお、仮に無理な力がかかってロック部材３２のストッパー部３３の先端部が支持突出片２１から外れる方向（図示の時計方向）に回転させられても、ストッパー部３３の先端部の一側方が停止垂下部３０に当接してそれ以上外れる方向に回転しないので、ロック部材３２が支持突出片２１の外側にはみ出ることはない。
【００２５】
また、図１１（Ａ）に示す実施形態においては、ストッパー部３３の円弧状先端面３８の円弧中心がリベット３７の中心（ロック部材３２の回転中心）であることにより、軸支ピン１５２に対し支持鉤穴２２の傾斜状穴部の傾斜に沿って抜ける方向の作用力Ｆがかかってもロック部材３２に回転モーメントが生じないものについて説明したが、図１１（Ｂ）に示すように、ストッパー部３３の円弧状先端面３９の曲率半径をさらに小さくし、且つロック部材３２のリベット３７による軸支位置を支持突出片２１の内側にした場合に、軸支ピン１５２が支持鉤穴２２の傾斜状穴部の傾斜に沿って抜ける方向に作用力Ｆがかかって円弧状の先端面３９に当接したとき、その作用力Ｆを、軸支ピン１５２と円弧状の先端面３９との当接部分に作用する分力Ｆ１（円弧状先端面３９の円弧の法線方向）と、軸支ピン１５２と支持鉤穴２２の傾斜状穴部の一側内面との当接部分に作用する分力Ｆ２と、に分けた場合において、分力Ｆ１によって回転モーメントが働いてロック部材３２を図示の矢印方向（時計回転方向）に回転させるが、ロック部材３２が回転してもストッパー部３３の先端一側方が停止垂下部３０に当接するだけであるため、ロック部材３２が支持突出片２１の外側にはみ出ることもないし、ロック部材３２の弾性片３５に対しても負荷がかかることもない。
【００２６】
つまり、図１１（Ａ）及び図１１（Ｂ）に示す実施形態から理解することができる点は、軸支ピン１５２が支持鉤穴２２の傾斜状穴部の傾斜に沿って抜ける方向に作用力Ｆがかかって先端面３８，３９に当接したとき、その作用力Ｆの軸支ピン１５２と先端面３８，３９との当接部分に作用する分力Ｆ１によってロック部材３２を回転させる回転モーメントが生じない位置若しくはロック部材３２をその先端部が支持突出片２１の外側に向って回転させる回転モーメントが生ずる位置にロック部材３２の回転中心（リベット３７により固定される軸）を位置させることにより、常時ロック部材３２の弾性片３５に対しても負荷がかかることはないし、ロック部材３２が回転してもストッパー部３３の先端一側方が停止垂下部３０に当接するだけであるため、ロック部材３２が支持突出片２１の外側にはみ出ることもない。なお、ストッパー部３３の先端面の形状が円弧状でなくても、上記した分力Ｆ１の作用により回転モーメントが生じない位置又はロック部材３２をその先端部が支持突出片２１の外側に向って回転させる回転モーメントが生ずる位置にロック部材３２の回転中心（リベット３７により固定される軸）を位置させることにより、常時ロック部材３２の弾性片３５に対しても負荷がかかることはないし、ロック部材３２が回転してもストッパー部３３の先端一側方が停止垂下部３０に当接するだけであるため、ロック部材３２が支持突出片２１の外側にはみ出ることもないという点を本出願人は確認している。
【００２７】
上記したように、外枠２の上支持金具２０に設けられるロック部材３２は、ストッパー部３３と操作部３４と弾性片３５とが合成樹脂によって一体的に形成されているので、上支持金具２０の裏面に極めて簡単に取り付けることができると共に、極めて簡単な構造であるため故障も少なく且つ製造コストの低減を計ることができる。また、軸支ピン１５２が支持鉤穴２２の傾斜状穴部の傾斜に沿って抜ける方向に作用力Ｆがかかって先端面３８，３９に当接したとき、その作用力Ｆの軸支ピン１５２と先端面３８，３９との当接部分に作用する分力Ｆ１によってロック部材３２を回転させる回転モーメントが生じない位置若しくはロック部材３２をその先端部が支持突出片２１の外側に向って回転させる回転モーメントが生ずる位置にロック部材３２の回転中心（リベット３７により固定される軸）を位置させることにより、常時ロック部材３２の弾性片３５に対しても負荷がかかることはなく、合成樹脂で一体形成される弾性片３５のクリープによる塑性変形を防止し、長期間に亘って軸支ピン１５２の支持鉤穴２２からの脱落を防止することができると共に、ロック部材３２が回転してもストッパー部３３の先端一側方が停止垂下部３０に当接するだけであるため、ロック部材３２が支持突出片２１の外側にはみ出ることもない。
【００２８】
〔扉枠〕
次に、上記した本体枠３の前面側に開閉自在に設けられる扉枠５について、図１２及び前記した図１、図２を参照して説明する。図１２は、扉枠５の背面図である。図２に示すように、扉枠５は、方形状に形成される扉枠本体５０の上部に縦長六角形状の遊技窓５１が形成され、該遊技窓５１の前面周囲に扉レンズユニット５２が取り付けられ、また、遊技窓５１の下方の板状部の前面に扉枠本体５０に皿ユニット５８が設けられ、その皿ユニット５８の一側（開放側）に操作ハンドル６５が突設固定されている。また、扉枠本体５０の裏面には、図１２に示すように、遊技窓５１の周囲に補強板金８０が固定され、遊技窓５１を閉塞するようにガラスユニット６６が取り付けられると共に、前記遊技窓５１の下方の板状部の裏面に、前記操作ハンドル６５に対応するジョイントユニット１０６、球送りユニット１０３及び開口蓋１０４が装着される装着台１０２、及び枠装飾中継基板を覆う中継基板カバー１０５がそれぞれ取り付けられている。なお、ガラスユニット６６の裏面下部には、防犯機能を有する防犯カバー７２（図１参照）も装着されている。以下、扉板５を構成する上記の各構成部材のより詳細な構造について説明する。
【００２９】
扉枠本体５０は、合成樹脂によって額縁状に形成され、前述したように上方部に扉レンズユニット５２によって囲まれる縦長六角形状の遊技窓５１が形成され、その遊技窓５１の下方が板状部となっている。遊技窓５１の板状部には、その前面に皿ユニット５８が取り付けられていると共に、その裏面側に装着台１０２、中継基板カバー１０５、ジュイントユニット１０６等が取り付けられている。また、板状部の開放側には、本体枠３に取り付けられる錠装置２０１のシリンダー錠２０４（図１参照）を貫通させる錠穴７３が開設されている。なお、本実施形態に係る遊技窓５１は、従来に比べて上下方向及び左右方向の寸法が大きくなった遊技盤４が取り付けられるため、遊技窓５１の上下方向及び左右方向の寸法も大きくなっている。このため、扉レンズユニット５２の形状として、前方への突出寸法がその基部寸法よりも大きな断面楔状に構成されて従来一般的に知られている形状と大きく相違して形成されている。
【００３０】
扉枠本体５０の前面側の上部に取り付けられる扉レンズユニット５２は、図１８（図３のＡ−Ａ断面図）に示すように、光透過性のあるレンズカバーによって前方への突出寸法がその基部寸法よりも大きな断面楔状に構成されていると共に、そのレンズカバーの内部に、前面側を反射面とするリフレクタ５５と、該リフレクタ５５の前面及び内側に取り付けられる冷陰極管５３及びＬＥＤ５４と、を備えて構成されるものである。そして、遊技状態に応じて前記冷陰極管５３やＬＥＤ５４を点灯又は点滅表示制御して遊技の雰囲気を盛り上げるものである。なお、図２に示すように、扉レンズユニット５２には、その左右上部にスピーカカバー５６が取り付けられると共に、その左右下部に装飾カバー５７が取り付けられている。スピーカカバー５６の裏面側には、図１及び図１２に示すように、高音の効果音を発生するスピーカ１０１が配置されている。
【００３１】
また、遊技窓５１の下方の板状部の前面に取り付けられる皿ユニット５８には、
賞球を貯留する貯留部５９と、遊技球を借り受ける際に操作する貸球ボタンユニット６０と、遊技において遊技者が参加するために操作される操作ボタンユニット６１と、貯留部５９の下流側から貯留された球を球抜きする第１球抜ボタン６２と、貯留部５９の中程から貯留された球を球抜きする第２球抜ボタン６３と、皿ユニット５８の内部に収納される低音の効果音発生用スピーカ（図示しないが、前記スピーカ１０１と協働してステレオ効果音を発生する。）の前面を覆うスピーカカバー６４と、が設けられ、更に、開放側の下部に操作ハンドル６５が固定されている。操作ハンドル６５の裏面側には、図１及び図１４に示すように、ジョイントユニット１０６が固定され、操作ハンドル６５の回転動作がジョイントユニット１０６によってスライド連結片１０７のスライド動作に変換される。そして、扉枠５を閉じた状態でスライド連結片１０７が、後に詳述する本体枠主体１５０に形成される発射装置取付部１６４に穿設されるハンドル連結窓１６５に挿入されて打球発射装置２００の弾発用スプリングの弾発力の強弱を調整するスライド部材（図示しない）と係合することによって、スライド連結片１０７のスライド動作が打球発射装置２００の弾発用スプリングに伝達されて打球の発射勢を調節するようになっている。
【００３２】
一方、扉枠本体５０の裏面側に設けられるガラスユニット６６は、図１及び図１２に示すように、遊技窓５１よりも大きな開口を有する合成樹脂で成型した環状の縦長八角形状のユニット枠６７と、該ユニット枠６７の開口の外周前後面に２枚の透明板としてのガラス板７８（ガラス板でなくても透明な合成樹脂板でもよい。）を接着することにより、所謂セットガラス板として構成されるものである。また、ガラスユニット７０を扉枠本体５０に取り付けるには、ガラスユニット６６のユニット枠６７から外部に突出される掛止突片を扉枠本体５０に形成される係合受片７０に上方から掛け止めた後、ガラスユニット６６のユニット枠６７から外部に突出される止め片に対し扉枠本体５０に回動自在に取り付けられる止めレバー６９を閉止位置に回動して係止することにより、ガラスユニット７０を扉枠本体５０の裏面に簡単に取り付けることができる。
【００３３】
上記したガラスユニット６６の裏面下部を覆うように取り付けられる防犯カバー７２は、図１に示すように、透明な合成樹脂によって左右の補強板金の間のガラスユニット６６の下方部を覆うような平板状に形成され、その前面側や後面側に遊技盤４の誘導レール２０７に沿った円弧状の防犯用突片が突設されている。そして、防犯カバー７２をガラスユニット６６の下方部に沿うように扉枠本体５０に形成される装着開口部７１（図１２参照）に取り付けた状態では、防犯用突片がガラスユニット６６の下辺に沿って当接すると共に、扉枠５を閉じたときに、防犯用突片が遊技盤４の誘導レール２０７の下方に上下重複状に侵入して外部からの不正具の侵入を防止するようになっている。
【００３４】
装着台１０２は、図１及び図１２に示すように、扉枠本体５０の板部裏面の上半分を覆うように取り付けられるものであり、防犯カバー７２と同様に透明な合成樹脂によって前方が開放した横長直方体状に形成されるものである。この装着台１０２は、後述する発射レール１６１から発射された球をスムーズに遊技盤４に導くために、扉枠５を閉めたときに装着台１０２の後面と本体枠３の板部１６０（図１３参照）とによって発射レール１６１を挟持するように形成されるものである。ところで、本実施形態に係る装着台１０２には、その開放側下部に球送りユニット１０３を取り付ける球送りユニット取付凹部と、該球送りユニット取付凹部の側方に開口蓋１０４を取り付けるための開口が形成されている。球送りユニット取付凹部に取り付けられる球送りユニット１０３は、打球発射装置２００の打球槌の往復動差に対応して揺動する球送り部材が設けられ、この球送り部材の揺動動作によって皿ユニット５８の貯留部５９に貯留されていた球を発射レール１６１の発射位置に１個ずつ供給するものである。また、開口に取り付けられる開口蓋１０４は、皿ユニット５８の第２球抜ボタン６３を操作したときに球抜きされた球が通過する球抜き通路における球詰り等が発生したときに、その球詰り現象を解消するために取り外し可能に構成されているものである。
【００３５】
上記した装着台１０２の下部の軸支側には、図１及び図１２に示すように、枠装飾中継基板（図示しない）が取り付けられ、その枠装飾中継基板の後面を覆う中継基板カバー１０５が取り付けられている。この枠装飾中継基板は、扉枠５に設けられる電飾部品や電気部品（冷陰極管５３、ＬＥＤ５４，スピーカ１０１、操作ハンドル６５内に設けられるスイッチ、操作ボタンユニット６１等）からの配線が集約して接続され、その枠装飾中継基板からの配線が本体枠３の裏面に取り付けられる基板ユニット１９５（図６参照）に組み込まれる扉中継基板等を介して払出制御基板や遊技盤４に取り付けられる遊技制御基板に接続されている。
【００３６】
次に、遊技窓５１の周囲を囲むように扉枠本体５０の裏面に取り付けられる補強板金８０について説明すると、図１２に示すように、扉枠本体５０の上辺部裏面に沿って取り付けられる上側補強板金８１と、扉枠本体５０の軸支側辺部裏面に沿って取り付けられる軸支側補強板金８２と、扉枠本体５０の開放側辺部裏面に沿って取り付けられる開放側補強板金８３と、扉枠本体５０の遊技窓５１の下辺裏面に沿って取り付けられる下側補強板金８４と、が相互にビス等で締着されて方形状に構成されるものである。また、補強板金８０は、図示しないが、扉枠５側で発生する静電気等の除電部と導通するように取り付けられている。
【００３７】
上側補強板金８１は、所定幅を有して扉枠本体５０の横幅寸法とほぼ同じ長さに形成され、その長辺の両端縁が後方に向って折曲した上折曲突片８５、下折曲突片８６となっている。この上折曲突片８５及び下折曲突片８６は、本体枠３の後述する上部防犯二重溝１６６（図１３参照）に嵌合されるものであり、本実施形態においては、詳細に図示しないが、上折曲突片８５の方が下折曲突片８６よりも僅かにその突出量が大きくなるように形成されている。これは、上折曲突片８５と上部防犯二重溝１６６の上溝との凹凸係合の度合いを大きくしてピアノ線等の侵入をさせ難くする一方、仮に、この外側の防犯凹凸係合をピアノ線が侵入した場合に、内側の凹凸係合の度合いが小さくても、不正具を操作しながら内側の凹凸係合をすり抜けるのは極めて困難であるからである。もちろん、上辺部からの不正具の挿入が、後述する開放側の不正具の挿入よりも店側に発見され易いので、その分、内側の凹凸係合の度合いを外側の凹凸係合の度合いよりも小さくしてもよいと言う考えにも基いている。しかし、外側と内側の凹凸係合の度合いが一緒となるようにしても良い。
【００３８】
軸支側補強板金８２も、所定幅を有して扉枠本体５０の縦長寸法とほぼ同じ長さに形成され、その長辺の両端縁が後方に向って折曲されているが、内側の軸支側短折曲突片９２は極めて短く、外側の折曲突片が、図１８に示すように折曲部から先がＬ字状に形成された軸支側Ｌ字状折曲突片８７となっている。この軸支側Ｌ字状折曲突片８７は、そのＬ字状に曲がった先端部が本体枠３の軸支側の延設された延設辺部１６９の内側に当接するようになっており、扉枠５と本体枠３との当接面からピアノ線等の不正具が挿入された場合に、不正具の先端が軸支側Ｌ字状折曲突片８７と延設辺部１６９の内側の当接部分を容易にすり抜けないようにしている。特に、扉枠５の軸支側は、従来において本体枠３との間で隙間があけにくく且つ不正な作業が行い難い反面、開閉軸側であるため上辺部や開放側辺部のように凹凸係合する構造にすると開閉動作に支障を来たすおそれがあるため、軸支側Ｌ字状折曲突片８７と延設辺部１６９の内側の当接構造としたものであるが、近年においては、この軸支側の防犯構造が手薄になっていることに着目してバール等の工具で無理やり本体枠３と扉枠５との間の隙間を形成して不正行為が行われる場合があるため、本実施形態においては、後に詳述するように、本体枠３の軸支側の辺に沿って不正行為を防止することができる構造を採用している。
【００３９】
また、図１２に示すように、軸支側補強板金８２の上下端部には、その上面に上下方向に摺動自在に設けられる軸ピン８９を有する上軸支部８８と、その下面に軸ピン９１を有する下軸支部９０と、が一体的に形成されている。そして、上下の軸ピン８９，９１が本体枠３の軸支側上下に形成される上軸支金具１５１及び下軸支金具１５４に軸支されることにより、扉枠５が本体枠３に対して開閉自在に設けられるものである。ただし、上記したように、バール等の工具を使用して上記した軸ピン８９，９１と上軸支金具１５１及び下軸支金具１５４との軸支部を変形させて扉枠５と本体枠３との軸支側の隙間を意図的に形成される場合があるので、本実施形態においては、後述するように、本体枠３の軸支側内壁に上下方向に延びる凸状の防犯金具１７０を固定している。この点については、後に詳述する。
【００４０】
開放側補強板金８３は、所定幅を有して扉枠本体５０の縦長寸法とほぼ同じ長さに形成され、その長辺の両端縁が後方に向って折曲した開放側外折曲突片９３、開放側内折曲突片９４となっている。開放側外折曲突片９３は、後述する本体枠３の側部防犯溝１６７に挿入されるものであり、開放側内折曲突片９４は、本体枠３の収納壁１５８のやや前方内側に挿入されるものである。しかして、開放側外折曲突片９３と側部防犯溝１６７とは、凹凸係合するようになっているが、開放側内折曲突片９４は、凹凸係合とはいえないものの、開放側内折曲突片９４が収納壁１５８のやや前方内側に侵入した状態で開放側内折曲突片９４の先端がガラスユニット６６よりも遊技盤４に近い位置であって遊技盤４の飾り枠２０６（図１参照）の前端面からやや遊技盤４寄りの位置まで侵入される長さに設定されているため、仮に上記した開放側外折曲突片９３と側部防犯溝１６７との凹凸係合部をすり抜けて不正具が侵入したとしても、開放側内折曲突片９４によって案内される不正具の先端がガラスユニット６６と遊技盤４の飾り枠２０６との間から遊技盤４の表面に侵入することはない。
【００４１】
更に、本実施形態における開放側補強板金８３には、従来にはない構造を採用している。即ち、開放側補強板金８３の上部、中間部、下部に錠装置２０１の扉枠用フック部２０２が侵入しえるように係合開口９５が形成され、その係合開口９５の裏面側を覆うように扉枠用フック部２０２が係合するフックカバー９６が固定されている。したがって、扉枠５を本体枠３に対して施錠した状態では、錠装置２０１の扉枠用フック部２０２がフックカバー９６に係合すると共に、扉枠用フック部２０２の先端が係合開口９５の内部に侵入した状態となっている。
【００４２】
下側補強板金８４は、所定幅を有して扉枠本体５０の横幅寸法とほぼ同じ長さに形成され、その長辺の両端縁のうち下方長辺端縁が後方に向って折曲した下折曲突片９８となっており、上方長辺端縁の両側部が後方に向って折曲した上折曲突片９９となっているものの、その両側部の上折曲突片９９に挟まれる部分が垂直方向に延設される垂直折曲突片１００となっている。下折曲突片９８の突出量はあまり大きくなく、この下折曲突片９８が溝部や凹部と係合して凹凸係合をなすものではなく、強度を高めるために形成されているのに対し、両側部の上折曲突片９９の突出量は下折曲突片９８の突出量よりもやや大きく下方からの不正具の侵入を多少防止するが、むしろ、本実施形態における下側補強板金８４の構成で最も特徴的な構成は、垂直折曲突片１００である。この垂直折曲突片１００は、その上端縁形状がガラスユニット６６のユニット枠６７の下端形状に合致するように凹状に形成され、ガラスユニット６６を扉枠５の裏面側に装着固定したときに、垂直折曲突片１００の上端片がガラスユニット６６のユニット枠６７の幅方向のほぼ中央の外周に沿って形成される係合溝に係合するようになっている。なお、下側補強板金８４には、扉枠本体５０に形成される賞球通過口の底面を除く外周を保護する賞球通過口被覆部９７が形成されている。
【００４３】
〔本体枠〕
次に、遊技盤４が前面側から着脱自在に装着し得ると共に、打球発射装置２００と、賞球を払い出すための賞球タンク１９０とタンクレール部材１９１と球通路ユニット１９２と賞球ユニット１９３と満タンユニット１９４と、外枠２に対する本体枠３の施錠及び本体枠３に対する扉枠５の施錠を行う錠装置２０１と、遊技盤４を除く扉枠５や本体枠３に設けられる電気的部品を制御するための各種の制御基板や電源基板等が一纏めに設けられている基板ユニット１９５と、後面開口１８５を覆うカバー体１９９と、等の各種の部品が本体枠主体１５０に装着されることにより構成される本体枠３について、図面を参照して説明する。
【００４４】
まず、図１３乃至図１９を参照して、上記した各種の部品が装着される本体枠主体１５０及び各種の部品が装着された本体枠３について説明する。図１３は、本体枠主体１５０に部品を取り付けた本体枠３の前方から見た斜視図であり、図１４は、扉枠５に設けられる操作ハンドル６５と本体枠３に設けられる打球発射装置２００との関係を示す部分斜視図であり、図１５は、扉枠５を開放した状態における軸支側の特徴点を示すパチンコ遊技機１の斜視図であり、図１６は、図１５に描かれる上部の一点鎖線で囲まれる部位の拡大斜視図（Ａ）と下部の一点鎖線で囲まれる部位の拡大斜視図（Ｂ）であり、図１７は、本体枠主体１５０の軸支側に取り付けられる防犯金具１７０と防犯シート１７４の取付状態を示す部分斜視図であり、図１８は、図３のＡ−Ａで切断した断面図であり、図１９は、扉枠５と本体枠３との軸支側の隙間を不正に開けた状態の断面図である。
【００４５】
図１３において、本体枠主体１５０の一側上下には、本体枠３を外枠２に開閉軸支するための上軸支金具１５１及び下軸支金具１５４が取り付けられている。本体枠主体１５０に上軸支金具１５１及び下軸支金具１５４を取り付けた状態では、本体枠主体１５０の上辺及び側辺が上軸支金具１５１の上辺及び側辺とほぼ同一平面状となり、本体枠主体１５０の下辺及び側辺が下軸支金具１５４の下辺及び側辺とほぼ同一平面状となっている。上軸支金具１５１は、本体枠主体１５０の裏面に取付部を有すると共にその上端辺が前方に突出し、その前方に突出した上面に軸支ピン１５２が立設固定され、その軸支ピン１５２の側方に扉軸支穴１５３が穿設されている。一方、下軸支金具１５４は、本体枠主体１５０の裏面に取付部を有すると共にその下端辺及びやや上部に２つの支持板１５５，１５６が一体的に突設されている。下方に位置する支持板１５５は、本体枠３を外枠２の下支持金具４０に支持するための枠支持板１５５を構成するものであり、上方に位置する支持板１５６は、扉枠５の下軸支部９０を本体枠３に支持するための扉支持板１５６を構成するものである。このため、枠支持板１５５に外枠２の下支持金具４０の支持突起４２を挿入するための軸支穴（図示しない）が形成され、扉支持板１５６に扉枠５の下軸支部９０に突設される軸ピン９１を挿入するための軸支穴１５７が穿設されている。
【００４６】
ところで、本体枠主体１５０は、正面から見た場合に、長方形状に形成され、その上部の約３／４が遊技盤４を設置するための収納壁１５８によって構成される遊技盤設置凹部１５９となっており、その遊技盤設置凹部１５９の下方のやや奥まった領域が板部１６０となっている。また、遊技盤設置凹部１５９を囲む前面側の前面上辺部及び前面開放側辺部は、扉枠５の裏面と対面するように所定幅を有して形成されており、前面上辺部には、横方向に平行状に突設される突起によって上部防犯二重溝１６６が形成され、正面から見て右側の前面開放側辺部には、外側に側部防犯溝１６７が形成され、正面から見て左側の前面軸支側辺部は、前面上辺部や前面開放側辺部と異なり扉枠５の裏面と対面する所定幅を有するように形成されていないが、本体枠主体１５０の前面軸支側辺部が前面上辺部や前面開放側面部に比べて前方への突出量が多い延設辺部１６９となっている。
【００４７】
より詳細に説明すると、前面上辺部に形成される上部防犯二重溝１６６は、扉枠５の上辺部裏面に取付固定される上側補強板金８１の両長辺端を後方に向って折曲される折曲突片８５，８６がそれぞれ挿入されるようになっているものである。また、前面開放側辺部に形成される側部防犯溝１６７は、扉枠５の開放部裏面に取付固定される開放側補強板金８３の両長辺端を後方に向って折曲される開放側外折曲突片９３が挿入されるようになっているものである。更に、前面軸支側辺部の延設辺部１６９には、扉枠５の軸支側裏面に取付固定される軸支側補強板金８２の軸支側Ｌ字状折曲突片８７の先端部が当接するようになっている。そして、上記した構造によって扉枠５と本体枠３との当接面の隙間からピアノ線等の不正具を挿入する不正行為を防止することができ、特に、最も不正行為が行われやすい開放側辺部や次いで不正行為が行われやすい上辺部における不正行為の防止をはかることができる構造となっている。もちろん、軸支側における軸支側補強板金８２と軸支側Ｌ字状折曲突片８７との当接による不正行為の防止も充分に機能するが、多くの場合、軸支側は、頑丈な支持金具２０，４０と軸支金具１５１，１５４とで本体枠３と扉枠５とが連結されているため、上辺部及び開放側辺部に比べて本体枠３と扉枠５との間に隙間が作り難いものである。しかし、前述したように、最近は、軸支側の本体枠３と扉枠５との間の隙間をバール等の工具で無理やり開ける不正行為も行われる場合もあるので、本実施形態においては、本体枠主体１５０の延設辺部１６９に防犯凸部としての防犯金具１７０を取り付けると共に、その防犯金具１７０の内側面を覆うように防犯シート１７４を設けた構造を採用している。防犯金具１７０及び防犯シート１７４については、後に詳述する。
【００４８】
また、遊技盤設置凹部１５９を囲む前面上辺部、前面開放側辺部、及び前面軸支側辺部には、上記した構成以外に前面開放側辺部の上部、中間部、下部に本体枠３の開放側裏面に取り付けられる後述する錠装置２０１に設けられる扉枠用フック部２０２を貫通させて前方に飛び出させるための扉用フック穴が開設されており、また、軸支側の収納壁１５８の前方内壁に遊技盤４の位置決めを行う上下一対の盤位置決め突起１６８が設けられている。
【００４９】
本体枠主体１５０の板部１６０の上面は、遊技盤４を載置するための遊技盤載置部となっていると共に、板部１６０の前面の中央部から開放側の端部に向かって発射レール１６１がビス止め固定されている。また、発射レール１６１の先端位置に対応する板部１６０の前面には、レール接続部材１６２が突設され、遊技盤設置凹部１５９に遊技盤４が設置されたときに、遊技盤４の誘導レール２０７の下流端と隣接するようになっている。また、レール接続部材１６２の側方位置（発射レール１６１と反対側の位置）には、遊技盤４の下部を固定するための楕円形状の遊技盤固定具１６３が取り付けられている。遊技盤固定具１６３は、回転自在に設けられ、遊技盤載置部に遊技盤４が載置された状態で時計方向に回動して遊技盤固定具１６３を遊技盤４の前面に押圧して遊技盤４を固定するものである。また、遊技盤４を取り外す場合には、遊技盤固定具１６３を反時計方向に回して取り外すことにより、簡単に行うことができる。
【００５０】
また、板部１６０の開放側下部は、手前側に膨出状に突設された（裏面から見れば凹状となっている）直方体状の発射装置取付部１６４が形成されており、この発射装置取付部１６４に本体枠主体１５０の裏面から打球発射装置２００が固定されている。上記した発射装置取付部１６４の前面壁部分には、前述したジョイントユニット１０６のスライド連結片１０７と連携されるスライド部材（図示しない）が収納されるハンドル連結窓１６５が形成されている。また、発射装置取付部１６４の上壁部分には、錠装置２０１のシリンダー錠２０４が貫通している。
【００５１】
また、遊技盤設置凹部１５９は、軸支側の内側面及び上記した上辺部及び開放側の鍔面部から後方へ周設される収納壁１５８により、本体枠３の左右側辺及び上辺の後方部分が囲まれた凹状に形成されているものである。そして、収納壁１５８は、遊技盤４と遊技盤４に設けられる各種の遊技装置の後方突出部分が収納されるようになっている。特に、本実施形態の場合には、図５に示すように、収納壁１５８の後方への突出量が、本体枠３の裏面側上部に固定される賞球タンク１９０の球を貯留する貯留部の後面壁とほぼ同じ位置となるように形成されている。これにより、遊技盤４の周辺部に対応する位置まで収納壁１５８によって形成される空間の大きさが確保されているので、例えば、遊技盤４のほぼ全域を液晶表示画面が占めるような遊技装置が取り付けられている場合においても、そのような遊技装置の後方突出部分を楽に収納することができるものである。なお、図示の実施形態に係る遊技盤４は、図１及び図１８に示すように、ほぼ正方形状のベニヤ盤２０５と、該ベニヤ盤２０５の前面に遊技領域２０８を囲むように取り付けられる飾り枠２０６と、から構成されている。ベニヤ盤２０５の表面には、装飾セルともいわれる装飾板が貼付されると共に遊技領域２０８に各種の遊技装置や多数の障害釘（いずれも図示省略）が植立されている。そして、それらの遊技装置や障害釘が設けられた後に飾り枠２０６がベニヤ盤２０５の前面に取り付けられるが、その飾り枠２０６は、ベニヤ盤２０５の周囲を囲むように内部が円形の空洞状に形成され且つ外形がベニヤ盤２０５の外形に沿った形状に形成されており、その下辺中程から上辺の中心を過ぎた斜め上方までの円弧面と、その円弧面の下部位置から対称位置までの円弧面とによって構成される誘導レール２０７が形成されている。
【００５２】
また、図６及び図１３に示すように、収納壁１５８の後端辺からは背面から見てその右辺（軸支側）及び上辺に、軸支側後面壁１８３及び上後面壁１８４がそれぞれパチンコ機の正面と平行となるように内側に向かって突設されている。軸支側後面壁１８３は、その前面が平板状となっており、その後面に球払出機構を構成する後述の球通路ユニット１９２と賞球ユニット１９３とが着脱自在に取り付けられるようになっている。したがって、軸支側後面壁１８３の内側への突出幅寸法は、球通路ユニット１９２と賞球ユニット１９３とを取り付ける幅があれば充分である。また、上後面壁１８４は、その前面が平板状となっており、その後面にタンクレール部材１９１が取り付けられるため、その下端辺が傾斜状に形成されている。したがって、上後面壁１８４の内側への突出幅は、傾斜状に取り付けられるタンクレール部材１９１の高さ幅寸法があれば充分である。なお、賞球ユニット１９３の下流側には、賞球ユニット１９３から払い出された賞球を前記皿ユニット５８に導くと共に、払い出された賞球が皿ユニット５８の貯留部５９及びその上流側まで満杯となったことを検出するための機構が内蔵される満タンユニット１９５（図１３参照）が設けられている。
【００５３】
上述したように、収納壁１５８の後端辺から内側に向かって突設される上後面壁１８４及び軸支側後面壁１８３の前面が平板状に形成され、この平板状部分が遊技盤４の周辺部に対応するものであるため、上記したように、遊技盤４の周辺部に対応する位置まで収納壁１５８によって形成される空間の大きさが確保されているので、例えば、遊技盤４のほぼ全域を液晶表示画面が占めるような遊技装置が取り付けられている場合においても、そのような遊技装置の後方突出部分を楽に収納することができるものである。なお、上後面壁１８４及び軸支側後面壁１８３の内側は、後面開口１８５となっており、この後面開口１８５がカバー体１９９によって開閉自在に閉塞されるようになっている。
【００５４】
また、本体枠３の裏面側には、上記した賞球タンク１９０、タンクレール部材１９１、球通路ユニット１９２、賞球ユニット１９３、満タンユニット１９５、及びカバー体１９９以外に、図６、図７、図１３に示すように、遊技盤４を除く扉枠５や本体枠３に設けられる電気的部品を制御するための各種の制御基板（賞球ユニット１９３を制御するための払出制御基板を収納する払出制御基板ボックス１９７や外部情報端子基板や台間玉貸器と接続されるＣＲユニット端子基板を収納する端子基板ボックス１９８）やパチンコ遊技機１に装備される電機部品や基板等に対して電源を供給する電源基板を収納する電源基板ボックス１９６等が一纏めに設けられている基板ユニット１９５と、外枠２に対する本体枠３の施錠及び本体枠３に対する扉枠５の施錠を行う錠装置２０１と、発射レール１６１の発射位置にある打球を弾発する打球発射装置２００と、等の各種の部品が装着されている。なお、錠装置２０１は、前記扉枠本体５０に形成される鍵穴７３に挿通してパチンコ遊技機１の前面に臨む円筒状のシリンダー錠２０４を有し、該シリンダー錠２０４に図示しない鍵を差し込んだ一方向に回動したときに扉枠用フック部２０２が上動して前記フックカバー９６（図１２参照）との係合を解除して本体枠３に対して扉枠５を開放することができ、他方向に回動したときに本体枠用フック部２０３が下動して前記閉鎖用突起１７，１８（図６参照）との係合を解除して外枠２に対して本体枠３を開放することができる。
【００５５】
以上、実施形態に係るパチンコ遊技機１の外枠２、本体枠３、及び扉枠５の構成について説明してきたが、次に、本実施形態における特徴的な構成である本体枠３に設けられる防犯凸部としての金属製の防犯金具１７０と防犯シート１７４の構成及び作用について図１５乃至図１９を参照して説明する。図１７において、本体枠主体１５０の軸支側の延設辺部１６９の上端部から下端部にかけて適宜間隔を置いて複数の取付穴１７２が穿設され、この取付穴１７２に上下に延びる長尺コ字形状に形成された防犯金具１７０が取り付けられる。このため、防犯金具１７０のコ字状の底面にも前記取付穴１７２に対応する取着穴１７１が適宜間隔を置いて形成されている。そして、取着穴１７１と取付穴１７２とを一致させた状態でカシメピン１７３を貫通させてカシメ固着することにより、防犯金具１７０を本体枠主体１５０の延設辺部１６９に固定することができる。なお、防犯金具１７０を固定する際に、１つの取着穴１７１（図示の場合は、下方部）には、金属製の接点突片１８２が一緒に固着されている。この接触突片１８２は、バネ性が付与されており、扉枠５を閉じたときに、扉枠５の裏面に固定される前記軸支側補強板金８２の軸支側Ｌ字状折曲突片８７と接触するようになっている。また、前述したように、補強板金８０を構成する軸支側補強板金８２は、扉枠５側で発生する静電気等の除電部と導通するように取り付けられている。更に、防犯金具１７０は、本体枠主体１５０にカシメ固着された状態で、前述した外部端子基板ボックス１９８に設けられたアース用コネクタに接続されて、電気的にアース接地部と導通している。
【００５６】
更に、本体枠主体１５０の軸支側の延設辺部１６９の奥側の遊技盤４が収納される収納壁１５８の前方内壁には、上下一対の前記盤位置決め突起１６８のやや上下内側に取着孔１８１が穿設され、該取着孔１８１に防犯シート１７４を掛け止めた当て板１７５が取着される。より詳細に説明すると、防犯シート１７４には、上下端部に取付穴１７６を形成すると共にこの取付穴１７６の間に適宜間隔を置いて差込み穴１７７を形成し、一方、当て板１７５には、取付穴１７６に対応する取着穴１７８と、差込み穴１７７に対応する係止爪部１８０と、が形成され、当て板１７５の係止爪部１８０に防犯シート１７４の差込み穴１７７を差し込んで当て板１７５に防犯シート１７４を装着した状態で、上下端部の取付穴１７６及び取着穴１７８と本体枠主体１５０の軸支側内壁に形成される取着孔１８１とを一致させ、その一致した取付穴１７６、取着穴１７８及び取着孔１８１にカシメピン１７９を挿通してカシメ固着することにより、防犯シート１７４の後部を本体枠主体１５０の軸支側の前方内壁と当て板１５４とで挟持した状態で防犯シート１７４を固定することができる。そして、防犯シート１７４を固定した状態では、防犯シート１７４の前部は、図１６（Ａ），（Ｂ）に示すように、防犯金具１７０の内側面（コ字状に形成された開放面）まで延設されてその内側面を覆うようになっている。ただし、この防犯シート１７４で覆う防犯金具１７０の範囲は、遊技盤４の遊技領域２０８の軸支側の側方に対応する範囲である。
【００５７】
また、防犯シート１７４は、可撓性のある材料（ゴム等）であれば良いが、本実施形態においては、黒色又は灰色の熱可塑性エラストマーにより形成している。防犯シート１７４を黒色又は灰色の材料で形成することにより、扉枠５と本体枠３との間に隙間が生じても、その間を閉塞する防犯シート１７４が黒色又は灰色であれば、隙間の大小が判別し難く不正具の侵入個所を狙うことが困難となる利点を有する。また、防犯シート１７４を熱可塑性エラストマーとすることにより、長期間の繰り返し屈曲運動にも優れた耐久性を有すると共に、引き裂きにも極めて強くピアノ線等の不正具により差込みに対して優れた耐久性を有する。
【００５８】
上記のように構成される防犯金具１７０と防犯シート１７４は、扉枠５が本体枠３に対して開放されている状態において、前述したように、防犯金具１７０の内側面（コ字状に形成された開放面）まで延設されてその内側面を覆うようになっているが、扉枠５を本体枠３に対して閉じた状態においては、図１８に示すように、防犯金具１７０と断面Ｌ字状折曲突片８７との間に防犯シート１７４が弾性変形して折り畳まれた状態で挟持されている。この状態では、断面Ｌ字状折曲突片８７が防犯金具１７０の裏側面と内側面とに対向した重複状態となっているので、ピアノ線等の不正具を扉枠５と本体枠３との間の隙間から挿入しても、重複部分からさらに奥に侵入させることはできないし、通常の力で扉枠５を手前側に引き出そうとしても、断面Ｌ字状折曲突片８７の先端折曲部が防犯金具１７０の裏面側と当接するので、容易に扉枠５を手前側に引き出して扉枠５と本体枠３との間の隙間を大きくすることはできない。
【００５９】
これに対し、バール等の工具を扉枠５と本体枠３との間に差し込んで無理やりこじ開ける不正行為をした場合には、断面Ｌ字状折曲突片８７の先端折曲部が図１９に示すように延びたり、あるいは扉枠５を支持している軸ピン８９，９１を変形させたりして、扉枠５と本体枠３との間の隙間２２０の寸法を不正に大きくし、それによって防犯金具１７０と断面Ｌ字状折曲突片８７との間の間隙が大きくなる場合がある。そのような場合であっても、本実施形態においては、図１９に示すように、防犯シート１７４が弾性復元して防犯金具１７０と断面Ｌ字状折曲突片８７との間の間隙を閉塞してピアノ線等の不正具２２１の侵入を防止することができる。
【００６０】
以上、本実施形態に係るパチンコ遊技機１の構成について説明してきたが、本実施形態においては、扉枠５と本体枠３との間の隙間寸法をバール等の工具を使用して不正に大きくすることにより本体枠３に固定される防犯金具１７０と扉枠５に固定される断面Ｌ字状折曲突片８７との間の間隙が大きくなった状態でも、防犯シート１７４が弾性復元して防犯金具１７０と断面Ｌ字状折曲突片８７との間の間隙を閉塞するので、不正具２２１の侵入を確実に防止することができる。一方、通常時の扉枠５の開閉動作においては、防犯金具１７０と断面Ｌ字状折曲突片８７との間に防犯シート１７４が弾性変形して折り畳まれた状態で挟持されるので、扉枠５の開閉動作に支障を来たすことがない。
【００６１】
また、防犯シート１７４が黒色又は灰色の熱可塑性エラストマーにより形成されているので、扉枠５と本体枠３との間に隙間が生じても、その間を閉塞する防犯シート１７４が黒色又は灰色であれば、隙間の大小が判別し難く不正具の侵入個所を狙うことが困難となる。そして、防犯シート１７４を熱可塑性エラストマーとすることにより、長期間の繰り返し屈曲運動にも優れた耐久性を有すると共に、引き裂きにも極めて強くピアノ線等の不正具により差込みに対して優れた耐久性を有する。
【００６２】
また、防犯シート１７４を本体枠３の軸支側内壁と当て板１７５とで挟持固定する際に、当て板１７５の係止爪部１８０に防犯シート１７４の差込み穴１７７を差し込んで当て板１７５に防犯シート１７４を装着した状態で、上下端部の取付穴１７６、取着穴１７８及び取着孔１８１にカシメピン１７９を挿通してカシメ固着したので、すべての取着部等をビス等で止着する場合に比べて、ビスの頭部等が本体枠３の内壁側に突出することを防止し、これによって本体枠３の遊技盤設置凹部１５９への遊技盤４の脱着操作の邪魔とならないようにすることができる。即ち、カシメピン１７９による固定個所を最小限に抑え且つ不正時に防犯シート１７４が簡単に弛まないように係止爪部１８０と差込み穴１７７とで固定したので、本体枠３の内壁側への突出量を抑制することができると共に長尺状の防犯シート１７４の取付けを確実に行ことができる。
【００６３】
更に、扉枠５側で発生する静電気が扉枠５の裏面に固定される補強板金８０、接点突片１８２、本体側に固定される防犯金具１７０を介してアース接続部に流されるので、扉枠５側とアース接続部とを特別なアース線で接続する必要がないため、極めて簡単な構造によって扉枠５側のアース経路を確保することができる。
【００６４】
なお、上記した実施形態においては、防犯凸部として断面コ字状の金属製の防犯金具１７０を示したが、本体枠主体の内側に向かって突出しておれば断面コ字状形態のものでなくても良い。また、防犯凸部と対向する折曲突片８７として断面Ｌ字状形状のものを示したが、必ずしも断面Ｌ字状でなくてもよく、少なくとも防犯凸部の裏側面及び内側面と対向するような形状であれば良い。例えば、防犯凸部の表側面、裏側面及び内側面と対向するような形状であっても良い。
【図面の簡単な説明】
【００６５】
【図１】実施形態に係るパチンコ遊技機の外枠に対して本体枠を開放し、本体枠に対して扉枠を開放した状態を示す斜視図である。
【図２】パチンコ遊技機の正面から見た斜視図である。
【図３】パチンコ遊技機の正面図である。
【図４】パチンコ遊技機の側面図である。
【図５】パチンコ遊技機の平面図である。
【図６】パチンコ遊技機の背面図である。
【図７】パチンコ遊技機の本体枠に対してカバー体を開放した状態を示す背面斜視図である。
【図８】外枠の正面斜視図である。
【図９】本体枠の上軸支金具と外枠の上支持金具との脱着構造を説明するための斜視図である。
【図１０】外枠の上支持金具の裏面に設けられるロック部材の取付状態を示す分解斜視図（Ａ）と下方から見た斜視図（Ｂ）である。
【図１１】軸支ピンとロック部材との関係を説明するための上支持金具部分の裏面図である。
【図１２】扉枠の背面図である。
【図１３】本体枠主体に部品を取り付けた本体枠の前方から見た斜視図である。
【図１４】扉枠に設けられる操作ハンドルと本体枠に設けられる打球発射装置との関係を示す部分斜視図である。
【図１５】扉枠を開放した状態における軸支側の特徴点を示すパチンコ遊技機の斜視図である。
【図１６】図１５に描かれる上部の一点鎖線で囲まれる部位の拡大斜視図（Ａ）と下部の一点鎖線で囲まれる部位の拡大斜視図（Ｂ）である。
【図１７】本体枠主体の軸支側に取り付けられる防犯金具と防犯シートの取付状態を示す部分斜視図である。
【図１８】図３のＡ−Ａで切断したパチンコ遊技機の断面図である。
【図１９】扉枠と本体枠との軸支側の隙間を不正に開けた状態の断面図である。
【符号の説明】
【００６６】
１  パチンコ遊技機
２  外枠
３  本体枠
４  遊技盤
５  扉枠
５０  扉枠本体
５１  遊技窓
８０  補強板金
８２  軸支側補強板金
８７  軸支側Ｌ字状折曲突片
１５０  本体枠主体
１５８  収納壁
１５９  遊技盤設置凹部
１６８  盤位置決め突起
１６９  延設辺部
１７０  防犯金具（防犯凸部）
１７３  カシメピン
１７４  防犯シート
１７５  当て板
１７６  取付穴
１７７  差込み穴
１７８  取着穴
１７９  カシメピン
１８０  係止爪部
１８１  取着孔
１８２  接点突片
２０５  ベニヤ盤
２０６  飾り枠
２０８  遊技領域
２２０  隙間
２２１  不正具
【図１】
2008220578.tif 000003
【図２】
2008220578.tif 000004
【図３】
2008220578.tif 000005
【図４】
2008220578.tif 000006
【図５】
2008220578.tif 000007
【図６】
2008220578.tif 000008
【図７】
2008220578.tif 000009
【図８】
2008220578.tif 000010
【図９】
2008220578.tif 000011
【図１０】
2008220578.tif 000012
【図１１】
2008220578.tif 000013
【図１２】
2008220578.tif 000014
【図１３】
2008220578.tif 000015
【図１４】
2008220578.tif 000016
【図１５】
2008220578.tif 000017
【図１６】
2008220578.tif 000018
【図１７】
2008220578.tif 000019
【図１８】
2008220578.tif 000020
【図１９】
2008220578.tif 000021